(57)【特許請求の範囲】
【請求項１】
円筒状ブラシ部分及び１対の端部連結部分を有するＣＭＰブラシをパッケージングする方法において、
液体で前記ＣＭＰブラシを少なくとも湿らせる工程と、
前記円筒状ブラシ部分の表面の周囲に延在し、かつ前記円筒状ブラシ部分の表面に係合する可撓性シートで前記円筒状ブラシ部分を覆う工程であって、前記可撓性シートは、当該可撓性シートを切断することなく、ＣＭＰツール上に湿らせた前記ＣＭＰブラシを載置するように適合されているとともに、前記ＣＭＰツール上に載置された湿らせた前記ＣＭＰブラシから、切断して除去されるように適合されている、可撓性シートで前記円筒状ブラシ部分を覆う工程と、
前記円筒状ブラシ部分の最大径を上回る直径を有するフランジ部分を有する端部サポートにそれぞれ対応する前記端部連結部分を係合させる工程であって、前記端部サポートは、湿らせた前記ＣＭＰブラシが外方ラップによって密封されるとき、当該外方ラップに囲まれている、係合させる工程と、
内部表面を有する管状壁部を有する剛性ポリマー管状出荷用容器に湿らせた前記ブラシを挿入し、それにより、前記端部サポートによって、前記円筒状ブラシ部分が前記管状壁部に接触すること及び前記管状壁部による前記円筒状ブラシ部分の変形を引き起こすことを防ぐ工程と、
前記剛性ポリマー管状出荷用容器の周囲に追加の外部自立型パッケージングを設ける工程とを含む、方法。
【請求項２】
前記剛性ポリマー管状出荷用容器の外側に追加のポリマー・シート・ラップ材料のカバーを装着する工程であって、前記端部連結部分が前記剛性ポリマー管状出荷用容器の内側に支持されている、追加のポリマー・シート・ラップ材料のカバーを装着する工程をさらに含む、請求項１に記載の方法。
【請求項３】
シュリンク・ラップ性能を有するように前記追加のシート・ラップ材料を選択する工程と、収縮することにより前記ブラシを気密封止するために前記追加のシート・ラップ材料を加熱する工程とをさらに含む、請求項２に記載の方法。
【請求項４】
前記円筒状ブラシ部分の周囲に延在するように前記可撓性シートとしてスリーブを選択する工程と、前記スリーブへの前記ブラシの挿入を含め前記円筒状ブラシ部分を覆う工程とをさらに含む、請求項１に記載の方法。
【請求項５】
開封補助領域又はスリットの一方を有するように前記スリーブを選択する工程をさらに含む、請求項４に記載の方法。
【請求項６】
前記追加の外部自立型パッケージングとして端面図で見た場合に正方形形状を有する段ボール箱を選択する工程をさらに含む、請求項１乃至５のいずれか１項に記載の方法。
【請求項７】
ディスク形状のフランジ部分を有し、前記ブラシの軸方向中心に係合するための中央係合構造部を有する端部サポートを選択する工程をさらに含む、請求項１乃至５のいずれか１項に記載の方法。
【請求項８】
パッケージングとして追加のポリマー・バッグを設ける工程をさらに含み、前記ポリマー・バッグは前記ＣＭＰブラシを密封することができる、請求項１乃至６のいずれか１項に記載の方法。
【請求項９】
前記ポリマー管状出荷用容器に前記端部サポートを挿入する工程と、前記ポリマー管状出荷用容器の各開口端部に剛性キャップを設置する工程とをさらに含む、請求項１乃至５のいずれか１項に記載の方法。
【請求項１０】
前記剛性キャップを気密封止する工程をさらに含む、請求項９に記載の方法。
【請求項１１】
パッケージングされたＣＭＰブラシにおいて、
円筒状表面を有する円筒状ブラシ部分と１対の端部連結部分とを含み、湿らせてあるＣＭＰブラシと、
前記円筒状ブラシ部分の周囲に延在し、前記円筒状ブラシ部分の円周方向に点在する各部分に係合し、かつ前記円筒状ブラシ部分を覆う可撓性ポリマー・シート材料であって、前記可撓性ポリマー・シート材料は、湿らせ、かつ包装された状態の前記ＣＭＰブラシを、当該可撓性ポリマー・シート材料を切断することなくＣＭＰツール上に載置するように適合されているとともに、前記ＣＭＰツール上に載置された、湿らせ、かつ包装された前記ＣＭＰブラシから、切断して除去されるように適合されている、可撓性ポリマー・シート材料と、
それぞれが前記端部連結部分に係合状態にある中央係合特徴部を有し、及び前記円筒状表面の半径方向範囲を越えて半径方向に延在するフランジ部分を有する、前記端部連結部分のそれぞれに支持係合する１対の端部サポート部分と、
前記１対の端部サポート部分を囲み、及び、湿らせ、かつ包装されている前記ＣＭＰブラシを密封する外方ラップであって、前記外方ラップは剛性ポリマー出荷用容器に挿入されるように形成されており、前記端部サポート部分が、前記剛性ポリマー出荷用容器の端部に係合することにより、前記円筒状表面が前記剛性ポリマー出荷用容器から離間した状態で、前記ブラシが前記剛性ポリマー出荷用容器内で浮遊状態になる、外方ラップと、
前記剛性ポリマー出荷用容器を囲む、１つ以上の端部キャップとからなる、パッケージングされたＣＭＰブラシ。
【請求項１２】
前記外方ラップは、ポリマー封止バッグを含む、請求項１１に記載のパッケージングされたＣＭＰブラシ。
【請求項１３】
前記剛性ポリマー出荷用容器は、剛性管として構成され、前記端部サポート部分は、前記管の端部に係合される、請求項１１に記載のパッケージングされたＣＭＰブラシ。
【請求項１４】
前記ブラシを中に囲んだ、正方形端部形状を有する段ボール箱をさらに備える、請求項１１乃至１３のいずれか１項に記載のパッケージングされたＣＭＰブラシ。
【請求項１５】
前記円筒状ブラシ部分の周囲に延在する前記可撓性ポリマー・シート材料は、スリーブとして構成される、請求項１１乃至１３のいずれか１項に記載のパッケージングされたＣＭＰブラシ。
【請求項１６】
前記可撓性ポリマー・シート材料は、前記切断を容易化する構造を有し、前記構造は、スリット、ミシン目、及び開封補助領域の中の少なくとも１つからなる、請求項１３に記載のパッケージングされたＣＭＰブラシ。
【請求項１７】
前記円筒状ブラシ部分の周囲に延在する前記可撓性ポリマー・シート材料は、前記円筒状ブラシ部分に巻き付けられた矩形シートである、請求項１１乃至１３のいずれか１項に記載のパッケージングされたＣＭＰブラシ。
【請求項１８】
湿らされた円筒状フォーム部分及び２つの対向側の端部部分を有するＣＭＰブラシからなるＣＭＰパッケージから前記ＣＭＰブラシを開梱し設置する方法であって、パッケージングは、前記円筒状フォーム部分を包装し係合するポリマー・シート材料を含み、１対の端部サポート部分が、前記ＣＭＰブラシのそれぞれの前記端部部分に係合し、１対の端部サポート部分が、前記ＣＭＰブラシを密封する外方ラップにより囲まれているとともに自立型出荷用容器に係合される、ＣＭＰパッケージから前記ＣＭＰブラシを開梱し設置する方法において、
前記自立型出荷用容器から前記端部サポート部分と共に前記ＣＭＰブラシを取り出した後で、前記ポリマー・シート材料が前記円筒状フォーム部分を包装した状態を維持しつつ、前記円筒状フォーム部分から前記端部サポート部分を除去する工程と、
前記円筒状フォーム部分の表面がユーザの手による接触を被らないように、前記円筒状フォーム部分を包装する前記ポリマー・シート材料を介して前記ＣＭＰブラシを手で把持する工程であって、前記ポリマー・シート材料は、当該ポリマー・シート材料を切断することなくＣＭＰツール上に前記ＣＭＰブラシを載置し、及び前記ＣＭＰブラシから切断して除去されるように適合されている、前記ポリマー・シート材料を介して前記ＣＭＰブラシを手で把持する工程と、
前記ポリマー・シート材料を介して前記円筒状フォーム部分を保持しつつブラシ固定具に前記ＣＭＰブラシを装着する工程と、
前記ポリマー・シート材料を除去する工程と
からなる、方法。
【請求項１９】
前記ポリマー・シート材料は、スリーブとして構成され、前記ポリマー・シート材料を除去する工程は、前記スリーブの切込み部分を裂き、次いで前記スリーブを除去することにより達成される、請求項１８に記載の方法。
【請求項２０】
ラジアル方向に延在する瘤状部を有する円筒状ブラシ部分と、１対の端部連結部分とを有するＣＭＰブラシをパッケージングする方法において、
前記瘤状部を変形させることなく、前記瘤状部の周囲に延在し前記瘤状部に係合する可撓性シートで前記円筒状ブラシ部分を覆う工程であって、前記可撓性シートは、当該可撓性シートを切断することなく、ＣＭＰツール上に湿らせた前記ＣＭＰブラシを載置するように適合されているとともに、前記ＣＭＰツール上に載置された湿らせた前記ＣＭＰブラシから、切断して除去されるように適合されている、可撓性シートで前記円筒状ブラシ部分を覆う工程と、
前記円筒状ブラシ部分の最大径を上回る直径を有するフランジ部分を有する各端部サポートに前記端部連結部分のそれぞれを係合させる工程であって、前記端部サポートは、前記ＣＭＰブラシが外方ラップに密封されるとき、当該外方ラップによって囲まれている、各端部サポートに前記端部連結部分のそれぞれを係合させる工程と、
内部表面を有する管状壁部を有する剛性ポリマー管状出荷用容器に前記ブラシを挿入し、それにより、前記端部サポートによって、前記瘤状部が前記管状壁部に接触する及び前記管状壁部による前記円筒状ブラシ部分の変形を引き起こすのを防ぐ工程と、
前記剛性ポリマー管状出荷用容器の周囲に追加の外部自立型パッケージングを設ける工程とを含む、方法。
【請求項２１】
瘤状部を有する円筒状ブラシ部分と、１対の端部連結部分とを有するＣＭＰブラシを出荷する方法において、
前記円筒状ブラシ部分に３つのポリマー・カバーを、すなわち
１つのポリマー・カバーは、前記円筒状ブラシ部分の周囲を包装し、前記瘤状部に係合する、非自立型ラップであり、
別のポリマー・カバーは、外方ラップであり、
最後の１つは、前記円筒状ブラシ部分の最大径を上回る内径を有するサイズの管状出荷用容器である、
前記３つのポリマー・カバーを設ける工程と、
前記３つのポリマー・カバー内に前記円筒状ブラシ部分を囲む工程と
を含み、
それぞれの前記端部連結部分は対応する端部サポートと係合し、前記端部サポートは前記ＣＭＰブラシを密封する前記外方ラップによって囲まれており、
前記円筒状ブラシ部分の周囲には前記非自立型ラップが延在し、前記非自立型ラップは、当該非自立型ラップを切断することなく、ＣＭＰツール上に前記ＣＭＰブラシを載置するように適合されているとともに、前記ＣＭＰツール上に載置された前記ＣＭＰブラシから、切断して除去されるように適合されている、方法。
【請求項２２】
前記管状出荷用容器内部において前記管状出荷用容器から前記ＣＭＰブラシを離間させる工程をさらに含む、請求項２１に記載の瘤状部を有する円筒状ブラシ部分と１対の端部連結部分とを有するＣＭＰブラシを出荷するための方法。
【請求項２３】
ラジアル方向に延在する瘤状部を有する円筒状ブラシ部分と、１対の端部連結部分とを有するＣＭＰブラシを保護するための方法において、
ブラシを湿らせる工程と、
非自立型ラップで前記円筒状ブラシ部分及び前記瘤状部を包装し、それによりユーザの手が前記ブラシに直接接触することなく前記円筒状ブラシ部分が前記手で把持され得る工程とを含み、
それぞれの前記端部連結部分は対応する端部サポートと係合し、前記端部サポートは前記ＣＭＰブラシを密封する外方ラップによって囲まれており、
前記非自立型ラップは、当該非自立型ラップを切断することなく、ＣＭＰツール上に前記ＣＭＰブラシを載置するように適合されているとともに、前記ＣＭＰツール上に載置された前記ＣＭＰブラシから、切断して除去されるように適合されている、方法。
【請求項２４】
前記瘤状部が管状出荷用容器の壁部から離間された状態で、前記管状出荷用容器内部に前記ブラシを配置する工程をさらに含む、請求項２３に記載の方法。
【請求項２５】
前記円筒状ブラシ部分の最大径を上回る直径を有するフランジ部分を有する各端部サポートに各前記端部連結部分を係合させる工程と、
剛性ポリマー出荷用容器の周囲に追加の外部自立型パッケージングを設ける工程と
をさらに含む、請求項２３に記載の方法。
【請求項２６】
瘤状部を有する円筒状ブラシ部分と１対の端部連結部分とを有するパッケージングされたＣＭＰブラシにおいて、前記パッケージングは、
前記円筒状ブラシ部分に対する３つのポリマー・カバーを含み、前記３つのポリマー・カバーは、
前記円筒状ブラシ部分の周囲を包装し、前記瘤状部を変形させることなく前記瘤状部に係合する非自立型ラップと、
外方ラップと、
前記円筒状ブラシ部分の最大径を上回る内径を有するサイズの剛性管状出荷用容器と
を含み、
前記ＣＭＰブラシは、前記剛性管状出荷用容器内に封止的に囲まれ、前記剛性管状出荷用容器の管状壁部から離間され、
それぞれの前記端部連結部分は対応する端部サポートと係合し、前記端部サポートは前記ＣＭＰブラシを密封する前記外方ラップによって囲まれており、
前記非自立型ラップは、当該非自立型ラップを切断することなく、ＣＭＰツール上に前記ＣＭＰブラシを載置するように適合されているとともに、前記ＣＭＰツール上に載置された前記ＣＭＰブラシから、切断して除去されるように適合されている、パッケージングされたＣＭＰブラシ。
【発明の詳細な説明】
【技術分野】
【０００１】
本発明は、一般的に半導体製造に関する。より詳細には、本発明は、化学機械平坦化（ＣＭＰ）ブラシを取り扱う及びパッケージングするための装置、システム、及び方法に関する。
【背景技術】
【０００２】
半導体製造環境のさらに良好な清浄度に対する要求が引き続き存在している。ある特定の分野は、処理ツールに対する化学機械平坦化（ＣＭＰ）洗浄ブラシの取付けを含む。グローブを着用した作業員の手によって標準的なパッケージングから取り出されたブラシを取扱い、その後ツールにブラシを取り付ける場合に、グローブからブラシ表面に及び瘤状部に汚染物質が持ち込まれる恐れがある。ブラシは、洗浄時に基板（半導体ウェーハ、フラット・パネル・ディスプレイ、及びハードディスク等）と接触状態になるが、そのため、ブラシ表面は、清浄であることが、ならびに出荷時及び設置時に付与される粒子、金属イオン・コンタミ、及び有機コンタミを最小限に抑えることが非常に望ましい。多くのＣＭＰブラシは、ブラシのスポンジ材料の圧縮性を維持するために湿潤状態で出荷されるため、パッキングは、かかるブラシに使用されるフォーム材料が記憶特徴を有し得ることにより出荷時にブラシの円筒状表面上の瘤状部の変形を排除するなど、ブラシの化学特性及び物理特性を保護する環境を与えるものでもあるべきである。
【０００３】
クラムシェル・パッケージを使用するものなどの知られているパッケージング方法及びパッケージング・システムは、ポリマー・シェル内に湿らせたブラシを封止する。ユーザが、パッケージングを開くと、ＣＭＰブラシは、ユーザにより把持され得る。しかし、ブラシの把持によりブラシが汚染されることになり得るため、かかる状況では、ユーザは、ブラシをブラシ表面ではなくその端部のみにおいて把持するように注意しなければならない。かかるクラムシェル・パッケージングは、落下時にパッケージングの完全性が損なわれやすい場合がある。
【０００４】
かかるシステムにより、ユーザは、極めて困難となり得るならびに結果として基板表面の洗浄を目的とされたブラシ瘤状部及びブラシ表面にしばしば誤って接触してしまう様式で、ブラシを取り扱わなければならないという制約を課される。さらに、業界で利用される落下試験に耐え得るより頑丈なパッケージング・システムが望ましい。
【発明の概要】
【発明が解決しようとする課題】
【０００５】
特許請求される本発明の実施形態は、出荷時及び保管時の機械的保護及び化学的保護を与えることによってだけでなく、さらにパッケージング要素により依然として部分的に保護された状態にありながらＣＭＰブラシを把持する方法をユーザに与え、それにより汚染を伴わずに処理ツールにブラシを安全に配置するのを可能にすることによって、既知のＣＭＰブラシ・パッケージング・システムの欠点を補う。
【課題を解決するための手段】
【０００６】
本発明の実施形態は、芯上のＣＭＰブラシ用のパッケージングを含む。この芯は、１つ又は複数のスリットあるいは１つ又は複数のミシン目を有する緩いポリマー・スリーブ又は可撓性シートにより少なくとも部分的に覆われ、これらのスリット又はミシン目により、ユーザがツールにブラシを取り付ける際にブラシからシートを除去することが可能となる。このポリマー・スリーブ又はシートにより、芯上のブラシは、グローブを必要とすることなくツールに取り付けることが可能となり、ブラシ表面へのコンタミの付与（例えば
スリーブを開くために鋏が使用される場合などに）が最小限に抑えられるか又は解消される。可撓性シートは、作業者がブラシを取り扱うのに必要な分だけＣＭＰブラシを覆い得る。
【０００７】
可撓性シートにより部分的に覆われたＣＭＰブラシは、いくつかの実施形態においてはポリマー・バッグを備えるポリマー容器などの液密封止された外方ラップ内にさらに収容され得る。一実施形態においては、外方ラップは、鋏又は他の汚染を持ち込むツールを必要とすることなく外方ラップを開封させ得る開封用切込みを一端部に備え得る。外方ラップは、液密であり、水及び／又は過酸化水素もしくは水酸化アンモニウムなどの他の防腐剤を収容し得る。
【０００８】
一実施形態においては、一実施形態においてポリマー容器を備える外方ラップが、芯上のスリーブで覆われたＣＭＰブラシの受け入れを可能にする開口及び内径を有する。この芯は、ブラシの端部に取り付けられた１つ又は複数の取外し可能な端部支持構造体を有し得る。これらの端部サポートは、ディスク、リング、又はブラシ芯に取り付けられた場合にブラシ及びブラシ瘤状部を管状出荷用容器の表面などの表面からオフセット状態に維持する他の幾何学的構造を備えてもよい。表面からブラシをオフセットすることにより、出荷時及び取扱い時の瘤状部の変形が防止される。いくつかの実施形態においては、可撓性シートは、支持構造体を覆い得るが、他の実施形態においては、可撓性シートは、ブラシの円筒状部分のみを覆う。
【０００９】
管状出荷用容器などの外方ハウジングが、１つ又は複数のスリットを有するポリマー・スリーブ又は可撓性シートにより部分的に覆われた、端部に任意の支持構造体を有するＣＭＰブラシの周囲に配置され得る。外方ハウジングは、出荷時にブラシに保護を与える。外方ハウジング又は管状出荷用容器は、端部サポートが取り付けられたＣＭＰブラシをハウジング又は管状出荷用容器内に配置させ得る幾何学断面を有してもよく、端部サポートは、ブラシ表面及び瘤状部が外方ハウジング／管状出荷用容器の内部表面に接触するのを防止し得る。外方ハウジングは、ハウジング内にＣＭＰブラシを維持する１つ又は複数のキャップを有し得る。
【００１０】
いくつかの実施形態においては、外方ハウジングは、支持構造体としても機能する端部キャップを有し得る。ブラシは、パッケージング時にこれらの支持構造体に嵌め込まれ得る又は隣接して嵌められ得る。有利には、これにより、パッキング材料の量が削減され得る。
【００１１】
特許請求される本発明は、円筒状ブラシ部分及び１対の端部連結部分を有するＣＭＰブラシをパッケージングする方法を含む複数の実施形態を含む。この方法は、液体でブラシを少なくとも湿らせる工程と、円筒状部分の表面の周囲に延在し係合する可撓性シートで円筒状ブラシ部分を覆う工程と、円筒状部分の最大径を上回る直径を有するフランジ部分を有する各端部サポートに各端部連結部分を係合させる工程と、内部表面を有する管状壁部を有する剛性ポリマー管状出荷用容器に湿らされたブラシを挿入し、それにより、端部サポートによって、円筒状ブラシ部分が管状壁部に接触する及び管状壁部による円筒状部分の変形を引き起こすのを防ぐ工程と、剛性ポリマー出荷用容器の周囲に追加の外部自立型パッケージングを設ける工程とからなる。
【００１２】
また、一実施形態においては、特許請求される本発明は、円筒状表面を有する円筒状ブラシ部分と１対の端部連結部分とからなるパッケージングされたＣＭＰブラシを含み得る。パッケージングは、円筒状部分の周囲に延在し、円筒状部分に円周方向に係合し覆う可撓性ポリマー・シート材料と、端部連結部分に係合状態にある中央係合特徴部及び円筒体のラジアル方向範囲を越えてラジアル方向に延在するフランジ部分をそれぞれが有する、
各端部連結部分に支持係合する１対の端部サポート部分と、剛性ポリマー出荷用容器であって、端部サポート部分がポリマー出荷用容器の端部に係合することにより、円筒状表面が剛性ポリマー出荷用容器から離間した状態で、ブラシがポリマー出荷用容器内で浮遊状態になる、剛性ポリマー出荷用容器とからなり、剛性ポリマー出荷用容器は、気密封止される。
【００１３】
また、一実施形態においては、特許請求される本発明は、湿らされた円筒状フォーム部分及び２つの対向側の端部部分を有するＣＭＰブラシからなるＣＭＰパッケージからＣＭＰブラシを開梱し設置する方法を含む。パッケージングは、円筒状部分を包装し、係合するポリマー・シート材料からなり、１対の端部サポート部分が、ＣＭＰの両端部部分に係合し、自立型出荷用容器に係合される。この方法は、自立型ポリマー出荷用容器からサポートと共にＣＭＰブラシを取り出し、ポリマー・シート材料が円筒状ブラシ部分を包装した状態を維持しつつ、円筒状ブラシから端部サポートを除去する工程と、ブラシ部分の表面がユーザの手による接触を被らないように、円筒状ブラシ部分を包装するポリマー・シート材料を介して円筒状ブラシを手で把持する工程と、ポリマー・シート材料を介して円筒状ブラシを維持しておきながら、ブラシ固定具にブラシを装着する工程と、ポリマー・シート材料を除去する工程とからなる。
【００１４】
一実施形態においては、特許請求される本発明は、ラジアル方向に延在する瘤状部を有する円筒状ブラシ部分と、１対の端部連結部分とを有するＣＭＰブラシをパッケージングする方法を含む。この方法は、瘤状部を変形させることなく瘤状部の周囲に延在し係合する可撓性シートで円筒状ブラシ部分を覆う工程と、円筒状部分の最大径を上回る直径を有するフランジ部分を有する各端部サポートに各端部連結部分を係合させる工程と、内部表面を有する管状壁部を有する剛性ポリマー管状出荷用容器にブラシを挿入し、それにより、端部サポートによって、瘤状部が管状壁部に接触する及び管状壁部による円筒状部分の変形を引き起こすのを防ぐ工程と、剛性ポリマー出荷用容器の周囲に追加の外部自立型パッケージングを設ける工程とからなる。
【００１５】
また、一実施形態においては、特許請求される本発明は、瘤状部を有する円筒状ブラシ部分と１対の端部連結部分とを有するＣＭＰブラシを出荷する方法を含む。この方法は、円筒状ブラシ部分に３つのポリマー・カバー、すなわち１つは、円筒状部分の周囲を包装し、瘤状部に係合する非自立型ラップであり、別の１つは封止バッグであり、最後の１つはブラシ部分の最大径を上回る内径を有するサイズの管状出荷用容器である、３つのポリマー・カバーを設ける工程と、３つのポリマー・カバー内に円筒状ブラシ部分を囲む工程とからなる。
【００１６】
また、一実施形態においては、特許請求される本発明は、ラジアル方向に延在する瘤状部を有する円筒状ブラシ部分と１対の端部連結部分とを有するＣＭＰブラシを保護する方法を含む。この方法は、ブラシを湿らせる工程と、非自立型ラップで円筒状ブラシ部分及び瘤状部を包装し、それによりユーザの手がブラシに直接接触することなく円筒状ブラシが手で把持され得る工程とからなる。
【００１７】
一実施形態においては、特許請求される本発明は、瘤状部を有する円筒状ブラシ部分と１対の端部連結部分とを有するパッケージングされたＣＭＰブラシを含む。パッケージングは、円筒状ブラシ部分に対する３つのポリマー・カバーからなり、これらの３つのポリマー・カバーは、円筒状部分の周囲を包装し、瘤状部を変形させることなく瘤状部に係合する非自立型ラップと、封止バッグと、ブラシ部分の最大径を上回る内径を有するサイズの剛性管状出荷用容器とからなる。ＣＭＰブラシは、剛性管状出荷用容器内に封止的に囲まれ、容器の管状壁部から離間される。
【００１８】
本発明のこれらの及び他の態様は、以下の説明及び添付の図面と組み合わせて考慮されることによりさらに良好に認識及び理解されよう。以下の説明は、本発明の様々な実施形態及びその多数の具体的詳細を示すが、例示として示されるものであり、限定的なものではない。多数の代替、修正、追加、又は再構成が、本発明の範囲内において実施され得ると共に、本発明は、全てのかかる代替、修正、追加、又は再構成を包含する。
【００１９】
本願に添付されその一部を成す図面は、本発明のいくつかの態様を示すために含まれる。本発明の、ならびに本発明により実現されるシステムの構成要素及び動作のより明らかなイメージが、図面に示す例示の及びしたがって非限定的な実施形態を参照することによりさらに容易に明確になろう。図面においては、同一の符号は、同一の構成要素を示す。図面に示す特徴は、必ずしも縮尺どおりではない点に留意されたい。
【００２０】
本発明は、添付の図面との関連において本発明の様々な実施形態の以下の詳細な説明を考慮することにより理解され得る。
【図面の簡単な説明】
【００２１】
【図１】特許請求される本発明の一実施形態によるＣＭＰブラシ用のパッケージング・システムの側面図。
【図２】図１のパッケージング・システムの分解図。
【図３】特許請求される本発明の一実施形態によるブラシ及び第１の端部サポートの左側斜視図。
【図４】特許請求される本発明の一実施形態による図３のブラシ及び第２の端部サポートの右側斜視図。
【図５】特許請求される本発明の一実施形態による、可撓性シートに包まれ、外方ラップに部分的に挿入された端部サポートを有するブラシのサブアセンブリと、管状出荷用容器との正面図。
【図５Ａ】管状出荷用容器の斜視図。
【図６】ユーザが可撓性シートに包まれたＣＭＰブラシを把持している状態の正面図。
【図７】可撓性シートがミシン目付きエッジに沿って裂かれつつある状態の斜視図。
【図８】ユーザがツールに取り付けられたブラシから可撓性シートを除去しつつある状態の斜視図。
【発明を実施するための形態】
【００２２】
様々な組成及び方法が説明されるが、本発明は、記載される特定の組成、設計、方法体系、又はプロトコルに限定されず、これらは、変更され得る点を理解されたい。また、本説明で使用される術語は、その特定の形態又は実施形態の説明のみを目的とするものに過ぎず、本発明の範囲を限定することを意図されず、本発明の範囲は、添付の特許請求の範囲によってのみ限定される点を理解されたい。
【００２３】
また、本明細書及び添付の特許請求の範囲において使用される場合、単数形「１つの（ａ、ａｎ）」及び「その（ｔｈｅ）」は、文脈で特に明示されない限り、複数への言及を含む点を留意されたい。したがって、例えば「ポリマー容器」（ａ  ｐｏｌｙｍｅｒｉｃ
ｃｏｎｔａｉｎｅｒ）への言及は、１つ又は複数のポリマー容器及び当業者には既知のその均等物への言及である、等となる。別様に定義されない限りは、本明細書において使用される全ての技術用語及び科学用語は、当業者により普通に理解されるのと同一の意味を有する。本明細書に記載されるものと同様又は均等である方法及び材料は、本発明の実施形態の実施又は試験において使用することが可能である。本明細書に記載される全ての刊行物は、その全体を本願明細書に援用する。本明細書における記載は全て、先行発明により本発明がかかる開示に先行するものであると認められないことを容認するものとして
解釈されるべきではない。「任意の」又は「任意に」は、続いて記載される事象又は状況が発生する場合があり又はしない場合があることを、ならびにその説明がその事象が発生する場合及び発生しない場合を含むことを意味する。本明細書における全ての数値は、明示されるか否かに関わらず「約」という用語によって修正され得る。「約」という用語は、挙げられた値と均等である（すなわち同一の機能又は結果を有する）と当業者が解釈する数の範囲を一般的に指す。いくつかの実施形態においては、「約」という用語は、述べられた値の±１０％を指し、他の実施形態においては、「約」という用語は、述べられた数値の±２％を指す。組成及び方法が、様々な構成要素又は工程「からなる／を備える／を含む（ｃｏｍｐｒｉｓｉｎｇ）」（「を含む（ｉｎｃｌｕｄｉｎｇ）がそれに限定されない」を意味するものとして解釈される）こととの関連において説明されるが、組成及び方法は、様々な構成要素及び工程「から本質的になる」又は「から構成される」こともまた可能であり、かかる術語は、本質的にクローズドの又はクローズドの要素群を定義するものとして解釈されるべきである。
【００２４】
図面との関連において以下でさらに詳細に説明されるように、本発明の実施形態は、保護スリーブ又は可撓性シートを用いた芯上のＣＭＰブラシ用のパッケージング・システムを備える。既知のパッケージング・システムとは異なり、可撓性シートにより、外部パッケージングからブラシを取り出した後のブラシの取扱いが可能となり、ユーザがＣＭＰ洗浄ツール取付部にブラシを設置することが可能となる。鋏などの切断ツールを使用することなく、可撓性シートはブラシから除去され、ブラシはＣＭＰ洗浄ツールに設置され得る。概ね、図面は、円筒状ブラシ芯上のスポンジブラシを備えるＣＭＰブラシと、ブラシ径よりも大きく、ブラシの両端部がＣＭＰ洗浄ツールに取り付けられた状態でブラシからスリーブを除去させ得る１つ又は複数のスリットを有するポリマー・スリーブを備える可撓性シートとを示す。
【００２５】
ＣＭＰブラシは、端部サポートをさらに備え、これらの端部サポートは、これらのサポートが配置された表面からブラシ表面をオフセットさせる。この場合に、端部サポートは、ブラシの端部に取り付けられる。図面は、液体を収容することが可能であり、ＣＭＰブラシ及び端部サポートと共に液密封止され得る、開封用切込みを有するポリマー容器を囲む１つ又は複数の端部キャップを有する、管状出荷用容器などの外方ハウジングを備えるＣＭＰパッケージングをさらに示す。
【００２６】
ＣＭＰブラシ・パッケージング・システム１００の一実施形態が、図１及び図２に示される。図１は、完全組立状態のＣＭＰブラシ・パッケージング・システム１００を示し、図２は、ＣＭＰブラシ・パッケージング・システム１００の分解図を示す。
【００２７】
図示する実施形態では、ＣＭＰブラシ・パッケージング・システム１００は、ブラシ１０２を囲み、保護外方ハウジングを備える。この保護外方ハウジングは、キャップ１０６を有する管状出荷用容器１０４と、第１の端部サポート１０８と、第２の端部サポート１１０と、可撓性シート１１２と、外方ラップ１１４とを備え得る。一実施形態においては、及び図２に示すように、パッケージング・システム１００は、管キャップ・シーラ１１６と、外部の自立型パッケージング１１８とを備え得る。
【００２８】
ＣＭＰブラシ１０２は、ポリビニルアセタール（ＰＶＡ）、ポリウレタン、セルロース、又は他のスポンジ材料もしくはフォーム材料を含み得る。一実施形態においては、ＣＭＰブラシ１０２は、円筒状ブラシ部分１２０、第１の端部連結部分１２２、及び第２の端部連結部分１２４を備える。円筒状ブラシ部分１２０は、外径Ｄ１を画定し、外方へと及びブラシ表面１２８から離れる方向に延在する複数のブラシ突出部又は瘤状部１２６を備える。当業者には理解されるように、ＣＭＰブラシ１０２が、洗浄ツールに取り付けられると（図８をさらに参照）、瘤状部１２６は、洗浄対象の基板に接触する。ブラシ１０２
、ならびに特に表面１２８及び瘤状部１２６は、清浄かつコンタミ不在のままであることが必要となる。
【００２９】
一実施形態においては、第１の端部連結部分１２２は、閉鎖端部連結部分を備え、第２の端部連結部分１２４は、開口１３０を画定する開口端部連結部分を備える。他の実施形態においては、端部連結部分１２２は、共に開口していてもよく（中央穴を画定するなど）、又は共に閉鎖されていてもよい（中央穴が無い、又は中央突出部を有するなど）。第１の端部連結部分１２２及び第２の端部連結部分１２４は、ブラシ１０２の「芯」の部分を含んでもよい。
【００３０】
さらに、ＣＭＰブラシ１０２は、液体をたっぷりと浸み込まされても、又は液体を含んでもよい。
一実施形態においては、管状出荷用容器１０４は、ブラシ１０２を囲み保護するためのほぼ円筒状の剛性構造体を備える。他の実施形態においては、管状出荷用容器１０４は、円筒状でなくてもよく、管状出荷用容器１０４が箱又は紙箱にさらにぴったりと近似するように、円形断面の代わりに正方形断面又は矩形断面を画定してもよい。一実施形態においては、管状出荷用容器１０４は、ポリマー材料を含む。一実施形態においては、管状出荷用容器１０４は、自立型容器を備え得る。
【００３１】
管状出荷用容器１０４は、空洞開口１３４を有する内方空洞部１３２と、外方表面１３６と、内方表面１３８とを画定する。また、管状出荷用容器１０４は、ブラシ外径Ｄ１よりも大きな内径Ｄ２を画定する。
【００３２】
キャップ１０６は、空洞開口１３４にて管状出荷用容器１０４に結合することにより、管状出荷用容器１０４の端部を囲む又は塞ぐように構成される。以下でさらに説明されるように、キャップ１０６は、管状出荷用容器１０４に封止され得る。一実施形態においては、キャップ１０６は、管状出荷用容器１０４の端部に対して回転装着又は螺合するように構成されるように、ねじ山を有する。１つのみのキャップ１０６が、管状出荷用容器１０４の一端部に図示されるが、第２のキャップ１０６が、管状出荷用容器１０４の第２の端部にて使用されてもよい。
【００３３】
さらに図３を参照すると、一実施形態においては、第１の端部サポート１０８が、第１の端部連結部分１２２を受けそれにより端部連結部分１２２に支持係合するための中央穴１４０などの係合特徴部を画定するフランジ部分１３９を備えるディスク形状を備える。第１の端部サポート１０８は、ほぼ剛性のポリマー材料を含み得る。
【００３４】
第１の端部サポート１０８は、外径すなわち最大径Ｄ３を画定する。径Ｄ３は、ブラシ１０２の径Ｄ１よりも概ね大きい。そのため、フランジ部分１３９は、ブラシ１０２の円筒状部分１２０のラジアル方向範囲を越えてラジアル方向に延在する。
【００３５】
さらに図４を参照すると、一実施形態においては、第２の端部サポート１１０が、フランジ部分１４１と、外方に及びディスク部分１４０の表面から離れるように突出する中央係合特徴部すなわち突出部１４２とを備える。一実施形態においては、突出部１４２は、ほぼ円筒状及び中空であり得る。突出部１４２は、第２の端部サポート１１０が第２の端部連結部分１２４にしっかりと結合され、それにより端部連結部分１２４を支持係合するように、第２の端部連結部分１２４の穴１３０によって受けられるように構成される。さらに、フランジ部分１４１は、ブラシ１０２の円筒状部分１２０のラジアル方向範囲を越えてラジアル方向に延在する。
【００３６】
第２の端部サポート１１０は、外径すなわち最大径Ｄ４を画定する。径Ｄ４は、ブラシ
１０２の径Ｄ１よりも概ね大きく、一実施形態においては第１の端部サポート１１０の径Ｄ３に等しい。
【００３７】
図示する実施形態においては、第１の端部サポート１０８が、端部連結部分１２２の「閉鎖」実施形態に結合するように構成され、したがってディスク状形状又はワッシャ形状であるが、第２の端部サポート１１０は、端部連結部分１２４の「開口」実施形態に結合するように構成され、したがって中央突出部を有するディスク状構造である。しかし、端部サポート１０８，１１０は、ブラシ１０２の端部を支持するように構成された他の構造及び形状を備えてもよい。
【００３８】
端部サポート部分１０８又はパッケージング・ディスク１０８は、端部連結部分１２２に支持係合する、ＣＭＰブラシ１０２のためのサポート又はスタンドオフとして機能する。上述のように、端部サポート１０８は、端部連結部分１２２などのブラシ１０２の芯の一部分の周囲に取り付けられ得る穴１４０などの孔又は他の開口を画定し得る。端部サポート部分１１０などの他の端部サポート部分は、ブラシ１０２の芯の第２の端部連結部分１２４などの開口端部内に挿入され得る突出部１４２などのニップル又は他の構造を備えるパッケージング・ディスクを備え得る。
【００３９】
一実施形態においては、及び上記に簡単に説明したように、ＣＭＰブラシ１０２は、液体をたっぷりと浸み込まされても、又は液体を含んでもよい。液体の一部は、ブラシ１０２の中空部分又は芯の中に保持され、端部サポート１０８及び／又は１１０の一方又は両方の封止効果によってブラシ１０２内に維持され得る。
【００４０】
さらに図１及び図２を参照すると、ＣＭＰブラシ・パッケージング・システム１００は、可撓性シート１１２をさらに備える。可撓性シート１１２は、ブラシ１０２の円筒状部分１２０の少なくとも一部の瘤状部１２６及びいくつかの場合では表面１２８の周囲に延在し係合する。一実施形態においては、可撓性シート１１２は、例えば低密度ポリエチレン（ＬＤＰＥ）などのポリマーの内方スリーブを備える。また、一実施形態においては、可撓性シート１１２は、可撓性シート１１２のエッジに沿ってミシン目１５０又は複数のスリットを備えてもよい。ブラシに接触することなくブラシからスリーブを除去させ得る（ブラシの両端部がＣＭＰ洗浄ツールに取り付けられた状態で）他のより長い又はより短いスリット１５０を使用することも可能である。例えば、可撓性シート１１２の周囲のらせん状ミシン目を使用することが可能であり、又はブラシの周囲にポリマー・フィルムを緩くらせん状に包装することにより、スリーブの連続スリットを構成することも可能である。スリーブは、覆われたブラシの取扱いを可能にするがブラシ設置後には除去され得る、例えばポリエチレン・フィルム、ポリプロピレン、又は他の清浄な低脱粒低イオン金属（１００ｐｐｂ未満）及び低有機物（１００ｐｐｂ未満）などのポリマー・ラップであることが可能である。
【００４１】
一実施形態においては、可撓性シート１１２は、ブラシ１０２に緩く取り付けられており、いくつかの実施形態においては、これにより、ユーザは、ブラシ１０２及び可撓性シート１１２を保持することが依然として可能でありながら、ミシン目又はスリット１５０の上方で可撓性シート１１２を把持し得る。
【００４２】
さらに別の実施形態においては、可撓性シート１１２は、スリーブを備える代わりに、ブラシ１０２の円筒状部分１２０の周囲に包装されることにより瘤状部１２６に接触し、瘤状部１２６及び表面１２８を覆い、それによりブラシ１０２を汚染物質から保護し汚染物質のない状態に維持する、可撓性ラップ材料を備える（さらに図８を参照）。
【００４３】
さらに別の実施形態においては、可撓性シート１１２は、ミシン目１５０ではなく、長
さ部分に沿って単一のスリットを有する半剛性プラスチックスリーブを備える。半剛性スリーブは、ツールへの設置時のブラシの取扱い及び保護を可能にするが、さらには後のブラシからの容易な除去も可能になる。
【００４４】
外方ラップ１１４は、外方ポリマー容器又はポリマー・バッグを備えてもよく、この容器又はバッグは、任意にはポリエチレン内部及びナイロン外部を有し得る。一実施形態においては、外方ラップ１１４は、外方ラップ又は外方バッグの開封を鋏不要にするために、「Ｖ字」形状開封用切込み１５０を画定し得る。切込み１５０は、外方ラップ１１４を開封するために使用され得る鋏などのツールによる汚染の可能性を回避させる。また、一実施形態においては、外方ラップ１１４は、ブラシ１０２の液体が円筒状ブラシ部分１２０から流出する又は蒸発するのを防ぐ役割を果たす。一実施形態においては、外方ラップ１１４は、ブラシ１０２の周囲に気密封止を実現する。
【００４５】
図示する実施形態においては、外方ラップ１１４は、端部サポート１０８，１１０に結合され「内方」可撓性シート１１２によって包装されたブラシ１０２を囲む。外方ラップ１１４は、囲まれたブラシ１０２と共に、管状出荷用容器１０４の空洞１３２内に受けられる。
【００４６】
また図５を参照すると、円筒状部分１２０が可撓性シート１１２で覆われた、端部サポート１０８，１１０に結合されたブラシ１０２は、外方ラップ１１４に部分的に挿入されたものとして図示される。図示する実施形態においては、外方ラップ１１４は、包装されたブラシ１０２を挿入し得る開口を有するスリーブ又はバッグを備える。
【００４７】
また、図５は、外部表面１３６及び内部表面１３８を有する管状出荷用容器１０４の斜視図を示す。上記に説明したように、円筒状部分１２０が可撓性シート１１２に包まれ、外方ラップ１１４に包まれた、端部サポート１０８，１１０に結合されたブラシ１０２は、開口１３４を通して管状出荷用容器１０４に挿入され得る。管状出荷用容器１０４は、後に塞がれる一端部のみにて開口するものして図示されるが、管状出荷用容器１０４は、一実施形態においては後に共に塞がれ封止されることとなる両端部にて開口してもよい点に留意されたい。
【００４８】
代替的な一実施形態においては、端部サポート１０８，１１０に結合され、「内方」可撓性シート１１２によって包装されたブラシ１０２は、管状出荷用容器１０４内にそのまま配置され、管状出荷用容器１０４は、外方ラップ１１４内に受けられる。
【００４９】
再び図１及び図２を参照すると、キャップ１０６は、管状出荷用容器１０４に挿着されるように構成され、水分、汚物、及び他のコンタミが管状出荷用容器１０４に入り込むのを回避するために管状出荷用容器１０４に封着されてもよい。一実施形態においては、キャップ１０６は、管キャップ・シーラ１１６を介して管状出荷用容器１０４に封着される。管キャップ・シーラ１１６は、接着テープ、マイラー、及びＰＶＣシュリンク・バンド等を含む様々な材料のいずれかを含み得る。一実施形態においては、管状出荷用容器１０４に装着されたキャップ１０６は、気密封止を実現する。
【００５０】
また、一実施形態においては、及び図２に示すように、ＣＭＰブラシ・パッケージング・システム１００は、外部自立型パッケージング１１８を備えてもよい。一実施形態においては、自立型パッケージング１１８は、出荷用紙箱などの紙箱か、又は他のかかる自立型紙箱、箱、もしくは容器を備える。一実施形態においては、自立型パッケージング１１８は、正方形端部形状を有する段ボール箱を備えてもよい。外部自立型パッケージング１１８がある場合は、これは、管状出荷用容器１０４とその封止内容物、すなわち端部サポート１０８，１１０に結合されたブラシ１０２、可撓性シート１１２、ならびにいくつか
の実施形態においては外方ラップ１１４を含む封止内容物とを受けるように構成される。
【００５１】
そのため、ＣＭＰブラシ・パッケージング・システム１００の実施形態は、複数の保護ソースを、すなわち管状出荷用容器などの外方ハウジングによる機械的保護、外方ラップ１１４などのポリマー容器又はポリマー・バッグによる液体封止を含む化学的保護、及び可撓性シート１１２を介したＣＭＰ洗浄ツールへのブラシの設置時の保護がもたらされる。
【００５２】
特に図１を参照すると、ブラシ１０２は、管状出荷用容器１０４内で固定される。フランジ１３９，１４１が、円筒状ブラシ部分１２０のラジアル方向範囲を越えてラジアル方向に延在する、すなわちＤ２，Ｄ３が、Ｄ１よりも大きい（図２を参照）ことにより、ブラシ１０２は、管状出荷用容器１０４の円筒状空間内で浮遊状態にある。図示しないが、一実施形態においては、端部サポート１０８，１１０は、管状出荷用容器１０４の内部表面１３８に係合する。
【００５３】
図１及び図２を参照すると、特許請求される本発明の別の実施形態が、円筒状ブラシ部分１２０と１対の端部連結部分１０８，１１０とを有するＣＭＰブラシ１０２をパッケージングする方法を含む。一実施形態においては、この方法は、液体をブラシ１０２にたっぷりと浸み込ませることと、円筒状部分１２０の表面の周囲に延在し係合する可撓性シート１１２で円筒状ブラシ部分１２０を覆うことと、各端部連結部分１０８，１１０を各端部サポート１２２，１２４に係合させることと、管状出荷用容器１０４などの剛性ポリマー管状出荷用容器に湿らされたブラシ１０２を挿入することとを含む。また、一実施形態においては、この方法は、管状出荷用容器１０４内で端部連結部分１２２，１２４を支持することを含む。また、一実施形態においては、この方法は、紙箱１１８などの追加の外部自立型パッケージングを設けることを含む。
【００５４】
本発明の別の実施形態は、１つ又は複数のスリットを有するスリーブ内に部分的に囲まれたＣＭＰブラシを開梱し洗浄ツールに設置する方法である。この方法は、ブラシが洗浄ツールに設置された後に、１つ又は複数のスリットに沿ってスリーブを開くことによって、ブラシからスリーブを除去する動作又は工程を含み得る。
【００５５】
さらに具体的には、一実施形態においては、この方法は、紙箱１１８を開くことと、端部サポート１０８，１１０を有するブラシ１０２と外方ラップ１１４により囲まれた可撓性シート１１２とを含み得るブラシ１０２のパッケージングを紙箱１１８から取り出すことと、外方ラップ１１４にＶ字切込み１５０などの開封用印部を配置することと、外方ラップ１１４を開封することと、外方ラップ１１４から管状出荷用容器１０４を取り出すこととを含む。一実施形態においては、これらの最後の２つの工程が、逆転され得る。
【００５６】
この方法は、キャップ１０６及び管状出荷用容器１０４からキャップ・シーラ１１６を除去することと、管状出荷用容器１０４からキャップ１０６を除去することと、円筒状ブラシ部分１２０が可撓性シート１１２によって包装された状態で端部サポート１０８，１１０に結合されたブラシ１０２を備えるブラシアセンブリを取り出すことと、第１の端部サポート１０８を除去することと、第２の端部サポート１１０を除去することとをさらに含んでもよい。
【００５７】
また、さらに図６を参照すると、この方法は、可撓性シート１１２に接触するがブラシ１０２の表面１２８又は瘤状部１２６には接触せずに、円筒状部分１２０を把持することを含んでもよい。
【００５８】
さらに図７を参照すると、この方法は、ミシン目付きエッジに沿って可撓性シート１１
２を裂くことを含んでもよい。可撓性シート１１２を裂くことは、ツールにブラシ１０２を取り付ける工程の前、最中、又は後に実施され得る（さらに、ツール１６０に取り付けられたブラシ１０２を示す図８を参照）。
【００５９】
また、図８を参照すると、この方法は、やはりブラシ１０２の瘤状部１２６又は表面１２８に接触する必要性を伴うことなく、ブラシ１０２から可撓性シート１１２を除去することを含む。
【００６０】
別の同様の実施形態においては、特許請求される本発明は、ＣＭＰパッケージからＣＭＰブラシを開梱し設置する方法を含む。ＣＭＰパッケージは、湿らされた円筒状フォーム部分と２つの対向側の端部連結部分とを有するＣＭＰブラシを備え、パッケージングは、円筒状部分を包装し係合するポリマー・シート材料を備え、１対の端部サポート部分が、ＣＭＰの両端部部分に係合し、自立型出荷用容器に係合される。この方法は、自立型ポリマー出荷用容器からサポートと共にＣＭＰブラシを取り出すことと、ポリマー・シート材料が円筒状ブラシ部分を包装した状態を維持しつつ、円筒状ブラシから端部サポートを除去することと、ブラシ部分の表面がユーザの手による接触を被らないように、円筒状ブラシ部分を包装するポリマー・シート材料を介して円筒状ブラシを手で把持することと、ポリマー・シートを介して円筒状ブラシを保持しつつブラシ固定具にブラシを装着することと、ポリマー・シートを除去することとを含む。
【００６１】
また、別の実施形態においては、この方法の一実施形態は、ポリマー・シートがスリーブとして構成されることを含んでもよく、ポリマー・シートの除去は、ポリマー・スリーブの切込み部分を裂き、次いでスリーブを除去することにより達成される。
【００６２】
特許請求される本発明は、円筒状ブラシ部分及び１対の端部連結部分を有するＣＭＰブラシをパッケージングする方法を含む複数の実施形態を含む。この方法は、液体でブラシを少なくとも湿らせることと、円筒状部分の表面の周囲に延在し係合する可撓性シートで円筒状ブラシ部分を覆うことと、円筒状部分の最大径を上回る直径を有するフランジ部分を有する各端部サポートに各端部連結部分を係合することと、内部表面を有する管状壁部を有する剛性ポリマー管状出荷用容器に湿らされたブラシを挿入し、それにより、端部サポートによって、円筒状ブラシ部分が管状壁部に接触する及び管状壁部による円筒状部分の変形を引き起こすのを防ぐことと、剛性ポリマー出荷用容器の周囲に追加の外部自立型パッケージングを設けることとを含む。
【００６３】
また、一実施形態においては、この方法は、中に端部連結部分が支持されたポリマー管の外部に追加のポリマー・シート・ラップ・カバーを適用することを含んでもよい。
また、一実施形態においては、この方法は、シュリンク・ラップ性能を有するように追加のシート・ラップ材料を選択することと、収縮することによりブラシを気密封止するためにこの追加のシートを加熱することとを含んでもよい。
【００６４】
また、一実施形態においては、この方法は、円筒状部分の周囲に延在するように可撓性シートとしてスリーブを選択することと、スリーブへのブラシの挿入を含め円筒状部分を覆うこととを含んでもよい。
【００６５】
また、かかる実施形態は、開封補助領域又はスリットの一方を有するようにスリーブを選択することを含んでもよい。
また、一実施形態においては、この方法は、追加の外部自立型パッケージングとして、端面図で見た場合に正方形形状を有する段ボール箱を選択することを含んでもよい。
【００６６】
また、一実施形態においては、この方法は、ディスク形状のフランジ部分を有し、ブラ
シの軸方向中心に係合するための中央係合構造部を有する、端部サポート部分を選択することを含んでもよい。
【００６７】
また、一実施形態においては、この方法は、パッケージングとして追加の封止されたポリマー・バッグを用意することを含んでもよい。
また、一実施形態においては、この方法は、ポリマー管状出荷用容器の内部にサポート部分を挿入することと、管状出荷用容器の各開口端部に剛性キャップを設置することとを含んでもよい。
【００６８】
また、一実施形態においては、この方法は、剛性キャップを気密封止することを含んでもよい。
また、一実施形態においては、特許請求される本発明は、円筒状表面を有する円筒状ブラシ部分と１対の端部連結部分とを備える、パッケージングされたＣＭＰブラシを含んでもよい。パッケージングは、円筒状部分の周囲に延在し円筒状部分に円周方向に係合し覆う可撓性ポリマー・シート材料と、端部連結部分と係合状態にある中央係合特徴部及び円筒体のラジアル方向範囲を越えてラジアル方向に延在するフランジ部分をそれぞれ有する、各端部連結部分に支持係合する１対の端部サポート部分と、剛性ポリマー出荷用容器であって、端部サポート部分がポリマー出荷用容器の端部に係合することにより、円筒状表面が剛性ポリマー出荷用容器から離間した状態で、ブラシがポリマー出荷用容器内で浮遊状態になる、剛性ポリマー出荷用容器とを備える。剛性ポリマー出荷用容器は、気密封止される。
【００６９】
一実施形態においては、気密封止は、追加のポリマー封止バッグにより実現されるか、又は剛性ポリマー出荷用容器を覆うポリマー・シュリンク・ラップにより実現される。
一実施形態においては、剛性ポリマー出荷用容器は、剛性管として構成され、端部サポートは、管の端部に係合される。
【００７０】
一実施形態においては、パッケージングは、ブラシを中に囲んだ正方形端部形状を有する段ボール箱をさらに備える。
一実施形態においては、円筒状部分の周囲に延在する可撓性ポリマー・シート材料は、スリーブとして構成される。
【００７１】
一実施形態においては、スリーブは、開封を容易化する構造を有し、この構造は、スリット、ミシン目、及び開封補助領域の中の少なくとも１つを備える。
一実施形態においては、円筒状部分の周囲に延在する可撓性ポリマー・シート材料は、円筒状部分に巻き付けられた矩形シートである。
【００７２】
また、一実施形態においては、特許請求される本発明は、ＣＭＰパッケージからＣＭＰブラシを開梱し設置する方法を含む。ＣＭＰパッケージは、湿らされた円筒状フォーム部分及び２つの対向側の端部部分を有するＣＭＰブラシを備え、パッケージングは、円筒状部分を包装し係合するポリマー・シート材料を備え、１対の端部サポート部分が、ＣＭＰの両端部部分に係合し、自立型出荷用容器に係合される。この方法は、自立型ポリマー出荷用容器からサポートと共にＣＭＰブラシを取り出すことと、ポリマー・シート材料が円筒状ブラシ部分を包装した状態を維持しつつ、円筒状ブラシから端部サポートを除去することと、ブラシ部分の表面がユーザの手による接触を被らないように、円筒状ブラシ部分を包装するポリマー・シート材料を介して円筒状ブラシを手で把持することと、ポリマー・シート材料を介して円筒状ブラシを保持しつつブラシ固定具にブラシを装着することと、ポリマー・シート材料を除去することとを含む。
【００７３】
一実施形態においては、ポリマー・シートは、スリーブとして構成され、ポリマー・シ
ートの除去は、ポリマー・スリーブの切込み部分を裂き、次いでスリーブを除去することにより達成される。
【００７４】
一実施形態においては、特許請求される本発明は、ラジアル方向に延在する瘤状部を有する円筒状ブラシ部分と１対の端部連結部分とを有するＣＭＰブラシをパッケージングする方法を含む。この方法は、瘤状部を変形させることなく、瘤状部の周囲に延在し係合する可撓性シートで円筒状ブラシ部分を覆うことと、円筒状部分の最大径を上回る直径を有するフランジ部分を有する各端部サポートに各端部連結部分を係合させることと、内部表面を有する管状壁部を有する剛性ポリマー管状出荷用容器にブラシを挿入し、それにより、端部サポートによって、瘤状部が管状壁部に接触する及び管状壁部による円筒状部分の変形を引き起こすのを防ぐことと、剛性ポリマー出荷用容器の周囲に追加の外部自立型パッケージングを設けることとを含む。
【００７５】
また、一実施形態においては、特許請求される本発明は、瘤状部を有する円筒状ブラシ部分と１対の端部連結部分とを有するＣＭＰブラシを出荷する方法を含む。この方法は、円筒状ブラシ部分に３つのポリマー・カバーを、すなわち１つは円筒状部分の周囲を包装し瘤状部に係合する非自立型ラップであり、別の１つは封止バッグであり、最後の１つはブラシ部分の最大径を上回る内径を有するサイズの管状出荷用容器である、３つのポリマー・カバーを設けることと、これらの３つのポリマー・カバー内に円筒状ブラシ部分を囲むこととを含む。
【００７６】
一実施形態においては、この方法は、管状出荷用容器内部においてこの容器からＣＭＰブラシを離間させることをさらに含む。
また、一実施形態においては、特許請求される本発明は、ラジアル方向に延在する瘤状部を有する円筒状ブラシ部分と１対の端部連結部分とを有するＣＭＰブラシを保護する方法を含む。この方法は、ブラシを湿らせることと、非自立型ラップで円筒状ブラシ部分及び瘤状部を包装し、それにより手がブラシに直接接触することなく円筒状ブラシがユーザの手で把持され得ることとを含む。
【００７７】
また、かかる方法の一実施形態は、瘤状部が容器の壁部から離間された状態で、管状出荷用容器内部にブラシを配置することを含んでもよい。
また、かかる方法の一実施形態は、円筒状部分の最大径を上回る直径を有するフランジ部分を有する各端部サポートに各端部連結部分を係合させることと、剛性ポリマー出荷用容器の周囲に追加の外部自立型パッケージングを設けることとを含んでもよい。
【００７８】
一実施形態においては、特許請求される本発明は、瘤状部を有する円筒状ブラシ部分と１対の端部連結部分とを有するパッケージングされたＣＭＰブラシを含む。パッケージングは、円筒状ブラシ部分に対する３つのポリマー・カバーを設けることを含み、これらの３つのポリマー・カバーは、円筒状部分の周囲を包装する瘤状部を変形させることなく瘤状部に係合する非自立型ラップと、封止バッグと、ブラシ部分の最大径を上回る内径を有するサイズの剛性管状出荷用容器とを含み、ＣＭＰブラシは、剛性管状出荷用容器内に封止的に囲まれ、容器の管状壁部から離間される。
【００７９】
本発明が、１つ又は複数の実装形態との関連において示され説明されたが、本願及び添付の図面の読解に基づき均等である代替形態及び修正形態が当業者には想起されよう。本発明は、全てのかかる修正形態及び代替形態を含み、以下の特許請求の範囲のみにより限定される。さらに、本発明の特定の特徴及び態様が、複数の実装形態の中の１つのみとの関連で開示された場合でも、かかる特徴又は態様は、任意の所与の又は特定の用途にとって望ましく有利である場合には、他の実装形態の１つ又は複数の他の特徴又は態様と組み合わされ得る。さらに、「を含む／を備える（ｉｎｃｌｕｄｅｓ）」、「を有する（ｈａ
ｖｉｎｇ、ｈａｓ、ｗｉｔｈ）」、又はそれらの別形の用語が、詳細の説明又は特許請求の範囲のいずれかに使用される場合には、かかる用語は、「からなる／を備える／を含む（ｃｏｍｐｒｉｓｉｎｇ）」という用語と同様に包括的であるように意図される。また、「例示の」という用語は、最良ではなく１例であることを意味するように意図されるに過ぎない。また、本明細書に示される特徴、層、及び／又は要素は、簡略化及び理解の容易化を目的として特定の相対寸法及び／又は相対配向で図示され、実寸法及び／又は実配向は、本明細書に示されるものとは実質的に異なり得る点を理解されたい。
【００８０】
本発明が、その特定の実施形態を参照としてかなり詳細に説明されたが、他の形態が可能である。したがって、添付の特許請求の範囲の主旨及び範囲は、本説明に限定されるべきではなく、それらの形態は、本願に含まれる。
【図１】
0006426096.tif 000002
【図２】
0006426096.tif 000003
【図３】
0006426096.tif 000004
【図４】
0006426096.tif 000005
【図５】
0006426096.tif 000006
【図５Ａ】
0006426096.tif 000007
【図６】
0006426096.tif 000008
【図７】
0006426096.tif 000009
【図８】
0006426096.tif 000010